(57)【要約】【課題】  ＷＥＢコンテンツの要約情報を表示する移動体通信端末の画面に、その要約情報と連携した広告情報を表示させることができるとともに、要約情報の受信のみでその広告情報を移動体通信端末が取得することができ、かつ、通信費用および通信ネットワークの負荷を低減することのできる中継サーバを提供する。【解決手段】  ＷＥＢサーバから受信した要約情報（ＲＳＳフィード）に広告情報を挿入するように要約情報を編集し、その編集後の要約情報を移動体通信端末へ送信する。前記編集手段は、ＷＥＢサーバから受信した要約情報の内容に基づいて広告情報を挿入したり、要約情報の種別に対応する広告情報を挿入したりしてもよい。【選択図】図１０
2007299275.tif 000002
【特許請求の範囲】
【請求項１】
コンテンツ提供サーバから移動体通信端末へ送られるコンテンツの要約情報を通信ネットワーク上で中継する中継サーバであって、
前記コンテンツ提供サーバから受信した要約情報に広告情報を挿入するように前記要約情報を編集する編集手段を備え、その編集後の要約情報を移動体通信端末へ送信することを特徴とする中継サーバ。
【請求項２】
請求項１に記載の中継サーバにおいて、
前記編集手段は、前記コンテンツ提供サーバから受信した要約情報の内容に基づいて広告情報を挿入することを特徴とする中継サーバ。
【請求項３】
請求項２に記載の中継サーバにおいて、
前記コンテンツ提供サーバから受信した要約情報の内容に基づいて、その要約情報を所定の種別に分別する分別手段と、
前記広告情報を前記種別と互いに関連づけて記憶する記憶手段とを備え、
前記編集手段は、前記コンテンツ提供サーバから受信した要約情報に、その要約情報の種別に対応する広告情報を挿入することを特徴とする中継サーバ。
【請求項４】
請求項３に記載の中継サーバにおいて、
前記分別手段は、前記コンテンツ提供サーバから受信した要約情報に対してテキストマイニング処理を行って前記要約情報を所定の種別に分別することを特徴とする中継サーバ。
【請求項５】
請求項３または４に記載の中継サーバにおいて、
前記移動体通信端末から送信される前記要約情報の取得要求に含まれる前記移動体通信端末の識別情報に基づいて、その移動体通信端末の利用者の情報を取得する取得手段と、
前記取得手段で取得した前記利用者の情報を、前記要約情報の種別と関連づけて記憶する記憶手段とを備えたことを特徴とする中継サーバ。
【請求項６】
請求項１から請求項５のいずれかに記載の中継サーバにおいて、
前記要約情報は、ＷＥＢコンテンツの見出し情報、要約情報および更新情報であることを特徴とする中継サーバ。
【発明の詳細な説明】
【技術分野】
【０００１】
本発明は、コンテンツ提供サーバから移動体通信端末へ送られるコンテンツの要約情報を通信ネットワーク上で中継する中継サーバに関するものである。
【背景技術】
【０００２】
従来から、ＷＥＢコンテンツの要約情報を取得して表示する移動体通信端末たる携帯電話機が知られている（例えば、非特許文献１）。このＷＥＢコンテンツの要約情報のデータは、携帯電話機からの取得要求に応じて例えばＲＳＳと呼ばれるフォーマットで送信される。このＲＳＳは、ＷＥＢサーバ（ＷＥＢサイト）で提供されるＷＥＢコンテンツの見出し、要約、更新情報等のメタデータを構造化して記述するＸＭＬ（Extensible Markup Language）ベースのフォーマットである。ＲＳＳはいくつかのバージョン（RSS0.9X, RSS1.0, RSS2.0, Atom）が存在し、バージョンごとに「Rich Site Summary」、「Really Simple Syndication」、「RDF Site Summary」という正式名称で呼ばれている。このＲＳＳフォーマットで記述された文書は「ＲＳＳフィード」と呼ばれ、上記ＲＳＳフィードを受信して表示するソフトウェアは「ＲＳＳリーダ」と呼ばれている。ＷＥＢコンテンツが更新されると、携帯電話機からの取得要求に応じて、更新後のＷＥＢコンテンツの要約情報を反映したＲＳＳフィードが携帯電話機に送信される。
【０００３】
【非特許文献１】「携帯ポータルアプリ」、［ｏｎｌｉｎｅ］、QUEST-COM株式会社、［２００６年３月３日検索］、インターネット（ＵＲＬ：http://rsseye.qusco.cc/）
【発明の開示】
【発明が解決しようとする課題】
【０００４】
ところで、非特許文献１には、利用者に対して無料のサービスを提供する代償として、定期的に携帯電話機へ広告情報を配信し、ＲＳＳリーダの画面に設定された広告表示のスペースに上記広告情報を表示させている。
しかし、非特許文献１の場合は、ＲＳＳフィードとは別に、広告情報を携帯電話機に配信している。したがって、広告情報を受信するために、ＲＳＳリーダは、ＲＳＳフィードの取得要求とは別に定期的にサーバに対して広告情報の取得要求を送信して、広告情報を取得する。よって、移動体通信端末は、ＲＳＳフィードの取得管理制御および広告情報の取得管理制御を別々に行う必要があった。また、従来、広告情報が画像データの場合は、携帯電話機が広告情報の取得要求をして画像データの接続先情報を受信し、広告情報を表示するときに、画像データの接続先に接続して画像データを取得する。このため、利用者に広告情報を取得するための通信費用が増加するとともに、通信ネットワークの負荷も増加する問題もあった。
【０００５】
本発明は、上記問題に鑑みなされたものであり、その目的とするところは、コンテンツの要約情報を表示する移動体通信端末の画面に、その要約情報と連携した広告情報を表示させることができるとともに、要約情報の受信のみでその広告情報を移動体通信端末が取得することができ、かつ、通信費用および通信ネットワークの負荷を低減することのできる中継サーバを提供することである。
【課題を解決するための手段】
【０００６】
上記目的を達成するために、請求項１の発明は、コンテンツ提供サーバから移動体通信端末へ送られるコンテンツの要約情報を通信ネットワーク上で中継する中継サーバであって、前記コンテンツ提供サーバから受信した要約情報に広告情報を挿入するように前記要約情報を編集する編集手段を備え、その編集後の要約情報を移動体通信端末へ送信することを特徴とするものである。
また、請求項２の発明は、請求項１に記載の中継サーバにおいて、前記編集手段は、前記コンテンツ提供サーバから受信した要約情報の内容に基づいて広告情報を挿入することを特徴とするものである。
また、請求項３の発明は、請求項２に記載の中継サーバにおいて、前記コンテンツ提供サーバから受信した要約情報の内容に基づいて、その要約情報を所定の種別に分別する分別手段と、前記広告情報を前記種別と互いに関連づけて記憶する記憶手段とを備え、前記編集手段は、前記コンテンツ提供サーバから受信した要約情報に、その要約情報の種別に対応する広告情報を挿入することを特徴とするものである。
また、請求項４の発明は、請求項３に記載の中継サーバにおいて、前記分別手段は、前記コンテンツ提供サーバから受信した要約情報に対してテキストマイニング処理を行って前記要約情報を所定の種別に分別することを特徴とするものである。
また、請求項５の発明は、請求項３または４に記載の中継サーバにおいて、前記移動体通信端末から送信される前記要約情報の取得要求に含まれる前記移動体通信端末の識別情報に基づいて、その移動体通信端末の利用者の情報を取得する取得手段と、前記取得手段で取得した前記利用者の情報を、前記要約情報の種別と関連づけて記憶する記憶手段とを備えたことを特徴とするものである。
また、請求項６の発明は、請求項１から請求項５のいずれかに記載の中継サーバにおいて、前記要約情報は、ＷＥＢコンテンツの見出し情報、要約情報および更新情報であることを特徴とするものである。
【発明の効果】
【０００７】
請求項１乃至６の発明によれば、コンテンツ提供サーバから受信した要約情報に広告情報を挿入するように編集し、その編集後の要約情報を移動体通信端末へ送信することにより、コンテンツの要約情報を表示する移動体通信端末の画面に広告情報を表示させることができる。また、要約情報を取得するための取得管理制御とは別に広告情報を取得するための取得管理制御を行う必要がなくなり、移動体通信端末が要約情報の受信のみで広告情報を取得することができるので、移動体通信端末は要約情報の取得管理制御のみで済み、移動体通信端末の制御の負担を軽減することができ、その広告情報を移動体通信端末が取得するための通信費用及び通信ネットワークの負荷を低減することができる。しかも、要約情報に広告情報を挿入することにより、要約情報と連携した広告情報を移動体通信端末に配信することが可能となる。
【発明を実施するための最良の形態】
【０００８】
以下、図面を参照して本発明の実施の形態について説明する。
図１は本実施形態に係る通信システム全体の概略構成の一例を示す説明図である。この通信システムは、移動体通信端末としての携帯電話機１０と、移動体通信事業者によって管理されている通信ネットワークとしての携帯電話通信網２０とを用いて構成されている。携帯電話通信網２０は、基地局２０１や図示しない交換機（回線交換機、パケット交換機）等を備え、中継サーバとしてのゲートウェイサーバ４０を介してインターネット３０等の他の通信ネットワークに接続されている。また、携帯電話通信網２０及びインターネット３０には、ＷＥＢコンテンツを提供するコンテンツ提供サーバとしてのＷＥＢサーバ４１が接続されている。ＷＥＢサーバ４１は、各種ＷＥＢコンテンツのほか、そのＷＥＢコンテンツの要約情報や更新情報も提供する。また、ＷＥＢサーバ４１は携帯電話通信網２０側に設けてもよい。これらのサーバから携帯電話機１０にコンテンツをダウンロードするときには、ネットワークの各階層において所定の通信プロトコルが用いられる。例えば、ＷＥＢサーバ４１からＷＥＢページをダウンロードするときのアプリケーション層の通信プロトコルとしては、ＨＴＴＰ（Hyper Text Transfer Protocol）が用いられる。
【０００９】
図２は、上記ＷＥＢサーバ４１のハードウェア構成の一例を示すブロック図である。このＷＥＢサーバ４１は、システムバス４００、ＣＰＵ４０１、内部記憶装置、外部記憶装置４０４、入力装置４０５、出力装置４０６、及びインターネット用通信装置４０７を備えている。上記内部記憶装置は、ＲＡＭ４０２やＲＯＭ４０３等で構成されている。上記外部記憶装置４０４は、ハードディスクドライブ（ＨＤＤ）や光ディスクドライブ等で構成されている。上記入力装置４０５は、マウスやキーボード等で構成されている。上記出力装置４０６は、ディスプレイやプリンタ等で構成されている。上記通信装置４０７は、所定の通信プロトコルにより、携帯電話通信網２０を介して他の携帯電話機や他のサーバと通信したり、インターネット３０上の各種クライアント端末や他のサーバと通信したりするための装置である。
【００１０】
上記ＣＰＵ４０１やＲＡＭ４０２等の構成要素はお互いに、システムバス４００を介して、データやプログラムの命令等のやり取りを行っている。このＷＥＢサーバ４１を所定の手順に従って動作させるためのプログラムはＲＯＭ４０３や外部記憶装置４０４に記憶されており、必要に応じてＣＰＵ４０１やＲＡＭ４０２上の作業エリアに呼び出されて実行される。
【００１１】
また、上記ＷＥＢサーバ４１はそれぞれ一部又は全体を専用の制御装置として構成してもいいし、一部又は全体を汎用のコンピュータシステムを用いて構成してもよい。また、ＷＥＢサーバ４１はそれぞれ、１台のコンピュータで構成してもいいし、複数の機能をそれぞれ受け持つ複数台のコンピュータをネットワークで結んで構成してもよい。
【００１２】
図３は、ＷＥＢサーバ４１の構成例を示す機能ブロック図である。ＷＥＢサーバ４１は、記憶手段４１５と受信手段４１６と送信手段４１７と識別情報付加手段４１８とを備えている。このＷＥＢサーバ４１は、ＣＰＵ等からなるハードウェア上で所定のプログラムを実行することにより、上記各手段の機能を実現している。上記記憶手段４１５は、上記内部記憶装置や外部記憶装置４０４で構成され、携帯電話機１０で受信可能な各種ＷＥＢコンテンツのデータや、そのＷＥＢコンテンツの要約情報や更新情報のデータを記憶している。
【００１３】
上記受信手段４１６は、上記ＣＰＵ４０１や通信装置４０７等で構成され、上記記憶手段４１５に記憶されている複数種類のＷＥＢコンテンツやそのＷＥＢコンテンツの要約情報を要求する取得要求を携帯電話機１０から受信する。
【００１４】
上記送信手段４１７は、上記ＣＰＵ４０１や通信装置４０７等で構成され、上記取得要求に基づいて選択されたＷＥＢコンテンツのデータや、そのＷＥＢコンテンツの要約情報のデータを移動体通信端末１０に送信する。
【００１５】
上記ＷＥＢコンテンツの要約情報のデータは、ＲＳＳのフォーマットで携帯電話機へ送信されており、携帯電話機は、このＲＳＳのフォーマットで記述された文書（ＲＳＳフィード）受信して表示するソフトウェアであるＲＳＳリーダを備えている。ＷＥＢコンテンツが更新された場合は、その更新後のＷＥＢコンテンツの要約情報を反映したＲＳＳフィードが作成される。この更新後のＲＳＳフィードが、携帯電話機からの取得要求に応じて送信される。上記要約情報としては、例えば、一般ニュース、音楽情報、ブログ、天気予報、ＣＤや映画などの売り上げランキング等のコンテンツの要約情報や更新情報が挙げられる。
【００１６】
図４は携帯電話機１０の一構成例を示す外観図であり、図５は、その携帯電話機１０のハードウェア構成の一例を示す概略構成図である。携帯電話機１０は、クラムシェル（折り畳み）タイプの携帯電話機であり、システムバス１００、ＣＰＵ１０１、ＲＡＭ１０２やＲＯＭ１０３等の記憶装置、入力装置１０４、出力装置１０５及び携帯電話通信網用通信装置１０６を備えている。ＣＰＵ１０１やＲＡＭ１０２等の構成要素は、システムバス１００を介して、互いに各種データやプログラムの命令等のやり取りを行っている。
【００１７】
上記ＣＰＵ１０１は、上記記憶装置から所定のプログラムを読み込んで実行することにより、ネイティブ側の電話機プラットフォームの基本ソフトＯＳ上で、音声通話機能や、アプリケーションソフト（以下「アプリケーション」という。）による各種機能を実現することができる。このアプリケーションによる機能としては、ＲＳＳリーダ、ＷＥＢブラウザ、メーラー、外部装置とのデータ送受信、アドレス帳管理、スケジューラ、メモ帳等がある。
【００１８】
また、上記ＣＰＵ１０１は、上記記憶装置から所定のプログラムを読み込んで実行することにより、ネイティブ側の電話機プラットフォーム上でアプリケーションを実行するためのアプリケーション実行環境を構築することができる。そして、このアプリケーション実行環境上で、携帯電話機１０にプリインストールされているアプリケーションや、利用者がダウンロードして登録したアプリケーション等の各種アプリケーションを実行することができる。
【００１９】
上記入力装置１０４は、データ入力キー（テンキー、＊キー、＃キー）１１、通話開始キー１２、終話キー１３、スクロールキー１４、多機能キー１５、マイク１６等から構成されている。この入力装置１０４のテンキー１１、通話開始キー１２、終話キー１３等により、利用者が操作可能な操作部が構成される。この操作部を操作することにより、利用者は、携帯電話機１０に対してコンテンツ取得先のＵＲＬ等のデータを入力したり、電話着信の際に通話の開始及び終了を行ったり、アプリケーションの選択、起動及び停止を行ったりすることができる。また、利用者は上記操作部を操作することにより、上記ＷＥＢサーバ４１から、アプリケーションプログラム等のコンテンツをダウンロードして登録することができる。
【００２０】
上記出力装置１０５は、表示手段である液晶ディスプレイ（ＬＣＤ）１７、音出力手段であるスピーカ１８等から構成されている。上記液晶ディスプレイ（ＬＣＤ）１７やスピーカ１８等からなる出力装置等で構成されている出力部は、携帯電話通信網２０を介して受信したＷＥＢページを液晶ディスプレイ（ＬＣＤ）１７に表示したり、携帯電話通信網２０から情報を着信した旨を利用者に知らせたりするときに用いられる。具体的には、その情報を着信すると、出力部の液晶ディスプレイ（ＬＣＤ）１７に着信報知画像を表示したり、スピーカ１８から着信音を出力させたりする。なお、上記スピーカ１８は、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
【００２１】
上記携帯電話通信網用通信装置１０６は、変復調器、シンセサイザ、周波数変換器，高周波増幅器などにより構成され、携帯電話通信網２０を介して他の携帯電話機や上記サーバ４１等と通信するときに用いられる。この携帯電話通信網用通信装置１０６は、携帯電話通信網２０を介して他の携帯電話機とメールのやり取りを行ったり、携帯電話通信網２０からゲートウェイサーバ４０を介して、インターネット等の外部の通信ネットワークに接続し、インターネット上での電子メールのやり取り等を行ったりするための通信手段として用いられる。更に、この携帯電話通信網用通信装置１０６は、携帯電話通信網１０を介して、サーバ４１が提供する各種コンテンツをダウンロードしたり、現在位置の位置情報を含む配信情報を受信したりする情報受信手段としても用いられる。
【００２２】
携帯電話機１０は、ＲＳＳリーダのほかに、例えば、メディアコンテンツの再生を行うアプリケーションもＷＥＢコンテンツの要約情報であるＲＳＳ（RDF Site Summary）フィードを表示する機能を備えている。また、サービス参加者が互いに友人を紹介しあって、新たな友人関係を広げることを目的に開設されたコミュニティサービス（ソーシャル・ネットワーク・サービス（ＳＮＳ））を利用するためのアプリケーションなどもＷＥＢコンテンツの要約情報であるＲＳＳフィードを表示する機能を備えている。メディアコンテンツの再生を行うアプリケーションは、音楽情報、ＣＤの売り上げランキング、着うたランキングなどのＲＳＳフィードが表示されるようになっている。また、上記コミュニティサービスを利用するためのアプリケーションは、友人のブログの更新情報などのＲＳＳフィードが表示されるようになっている。
【００２３】
図６は、本実施形態に係る携帯電話機１０の主要な機能を抽出して示した機能ブロック図である。この携帯電話機１０は、通信手段１１０と表示手段１１１と記憶手段１１２と表示制御手段１１３とを有する。
【００２４】
上記通信手段１１０は上記通信装置１０６等で構成され、ＨＴＴＰ等の所定の通信プロトコルを用いて携帯電話通信網２０を介した通信を行う。この通信手段１１０は、接続情報としてのＵＲＩ（Uniform Resource Identifier）に基づいて通信ネットワーク上のＷＥＢサーバ４１にゲートウェイサーバ４０を介してアクセスし、そのＷＥＢサーバ４１から前述のＲＳＳフィードを取得する取得手段として用いられる。また、この取得手段は、所定の時間毎にＵＲＩ（Uniform Resource Identifier）に基づいて通信ネットワーク上のＷＥＢサーバ４１にアクセスし、そのサーバからＲＳＳフィードを自動的に取得できるようになっている。自動取得のタイミングは、装置内部のＤＲＭ用内部時計に従い処理を行う。また、自動取得のタイミングは、取得応答（ＨＴＴＰレスポンス）のＨＴＴＰヘッダに記述された指示情報に基づき設定する。
【００２５】
上記表示手段１１１は上記ディスプレイ等で構成され、ＲＳＳフィードの表示を行うアプリケーションを起動したときに、通信ネットワーク上のＷＥＢサーバ４１から受信した前述のＲＳＳフィードを表示することができる。
【００２６】
上記記憶手段１１２は上記ＲＡＭ１０２やＲＯＭ１０３等の記憶装置により構成され前述のＲＳＳフィードを記憶している。ＲＳＳフィードのデータは、フォルダ形式で記憶手段１１２に保存されている。フォルダは、カテゴリ別に複数設けられており、例えば、ＲＳＳフィードが、「ニュース」に関するものの場合は、ニュースカテゴリのフォルダに保存され、「ブログ・日記」に関するものの場合は、ブログのカテゴリのフォルダに保存される。
【００２７】
上記表示制御手段１１３は上記ＣＰＵ１０１等で構成され、前述のＲＳＳフィードを取得して表示するように制御する。また、ＲＳＳフィードが未読の場合に、待ちうけ画面などのピクト領域に、未読のＲＳＳフィードがある旨のピクト画像を表示するように制御する。
【００２８】
図７は、上記ゲートウェイサーバ４０のハードウェア構成を示す概略構成図である。このゲートウェイサーバ４０のハードウェア構成は、上記ＷＥＢサーバ４１と同様、システムバス３００、ＣＰＵ３０１、内部記憶装置、外部記憶装置３０４、入力装置３０５及び出力装置３０６から構成されている。更に、このゲートウェイサーバ４０は、インターネット通信網３０を介してデータの送受信を行う第１通信装置３０７と、携帯電話通信網２０を介してデータの送受信を行う第２通信装置３０８も備えている。
上記ＣＰＵ３０１やＲＡＭ３０２等の構成要素は、システムバス３００を介して、互いにデータやプログラムの命令等のやり取りを行い、その基本的な動作は上記ＷＥＢサーバ４１とほぼ同様である。本実施形態におけるゲートウェイサーバ４０は、携帯電話通信網２０とインターネット通信網３０とを接続するゲートウェイとしての機能を有しており、一方から他方へデータを通過させる際にＣＰＵ３０１等によりプロトコル変換を行う。
【００２９】
また、ゲートウェイサーバ４０は、インターネット通信網３０に接続されたＷＥＢサーバ４１が提供するＷＥＢコンテンツを、携帯電話機１０に適したものに変換するＷＥＢＴｒａｎｓ機能を有している。この点について説明すると、インターネット通信網３０に接続されたＷＥＢサーバ等が提供するＷＥＢサイトの閲覧画面は、携帯電話機１０だけでなく、パーソナルコンピュータ等でも閲覧することができる。インターネット通信網３０上のＷＥＢサイトの閲覧画面は、パーソナルコンピュータ等に適した画面構成（画面寸法、静止画や動画の埋め込み等）になっているのが通常である。そのため、このような閲覧画面を携帯電話機１０のＬＣＤ１７に表示させようとすると、利用者にとって閲覧しにくかったり、閲覧できなかったりすることがある。そこで、ゲートウェイサーバ４０では、所定のデータ変換プログラムを実行するＣＰＵ３０１がデータ変換手段として機能する。そして、ＣＰＵ３０１は、インターネット通信網３０を介して第１通信装置３０７により受信した閲覧画面データを、そのデータ変換プログラムに従って変換し、携帯電話機１０に適したものとする。その後、変換後のデータを第２通信装置３０８から携帯電話通信網２０を介して携帯電話機１０へ送信する。
【００３０】
なお、上記ゲートウェイサーバ４０は専用の制御装置として構成してもいいし、汎用のコンピュータシステムを用いて構成してもよい。また、１台のコンピュータで構成してもいいし、複数の機能をそれぞれ受け持つ複数台のコンピュータをネットワークで結んで構成してもよい。
【００３１】
図８は、本実施形態に係るゲートウェイサーバ４０の主要な機能を抽出して示した機能ブロック図である。このゲートウェイサーバ４０は、第１通信手段３１０と第２通信手段３１１と編集手段３１２と記憶手段３１３とを有する。
【００３２】
上記第１通信手段３１０は第１通信装置３０７等で構成され、ＨＴＴＰ等の所定の通信プロトコルを用いてインターネット通信網３０を介した通信を行う。この第１通信手段３１０は、携帯電話通信網２０を介して受信した接続情報としてのＵＲＩ（Uniform Resource Identifier）に基づいて通信ネットワーク上のＷＥＢサーバ４１に取得要求を送信し、そのＷＥＢサーバ４１からＷＥＢコンテンツやＷＥＢコンテンツの要約情報を取得する機能を有している。
【００３３】
上記第２通信手段３１１は第２通信装置３０８等で構成され、ＨＴＴＰ等の所定の通信プロトコルを用いて携帯電話通信網２０を介した通信を行う。この第２通信手段３１１は、後述する通過制御手段３１２を通過したＷＥＢコンテンツやＷＥＢコンテンツの要約情報を、携帯電話通信網２０を介して携帯電話機へ送信し、また、携帯電話通信網２０を介して携帯電話機から取得要求を受信する機能を有している。
【００３４】
上記編集手段３１２は、上記ＣＰＵ３０１等で構成され、インターネット通信網３０を介して第１通信手段３１０により取得したＷＥＢコンテンツを、携帯電話機１０に適した閲覧画面に変換する変換手段としての機能を有している。また、転送対象の要約情報に広告情報を挿入するように要約情報を編集する機能を有している。
【００３５】
上記記憶手段３１３は、上記外部記憶装置等で構成され、上記広告情報が記憶されている。広告情報としては、静止画像データの接続先情報と、この静止画像データにリンクさせる、例えば、広告主のホームページなどの接続先情報とが関連づけられて記憶されている。なお、本実施形態の広告情報は、バナー広告などの、静止画像データに所定のコンテンツがリンクされたものとしているが、文字データに所定のコンテンツへのリンクを張った広告情報でもよい。もちろん、広告情報は、所定のコンテンツへのリンクが張られていなくてもよく、静止画像データ、動画データだけでもよい。このような、広告情報を記憶手段３１３は記憶している。
【００３６】
図９は、要約情報であるＲＳＳフィードの構成要素を示す一例である。図では、RSS0.9、1.0バージョンの構成要素を示している。図に示すように、ＲＳＳフィードは、チャンネル要素と、複数のアイテム要素とによって構成される。チャンネル要素は、このＲＳＳフィードのタイトルや、概要などの基本情報が記述されている。また、アイテム要素は、コンテンツの要約情報や更新情報が記述される。広告情報は、図中点線（Ｂ）で示す、ＲＳＳフィードのイメージ要素として、チャンネル要素とアイテム要素との間に挿入される。このイメージ要素のｕｒｌ要素に画像の接続情報が記載され、イメージ要素のリンク要素にリンク情報が記載される。
【００３７】
また、挿入する広告情報が、静止画像データ、動画データ及び音声データのような、所定のコンテンツへのリンクを張らないデータだけの場合、enclosure要素を用いて、ＲＳＳフィードのアイテム要素内に広告情報として静止画像データ、動画データ、音声データの接続先情報を挿入してもよい。この場合、ＲＳＳフィードを取得した際に、そのＲＳＳフィードのenclosure要素で記述された接続先情報に基づいて所定のサーバにアクセスすることにより、静止画像データ、動画データ、音声データ等のファイルがダウンロードされる。
【００３８】
また、挿入する広告情報が、文字情報のみの場合は、アイテム要素内のdescription要素に記述された要約情報の後に追記するなどして、広告情報を挿入するようにしてもよい。このように、広告情報が文字情報の場合、広告情報を表示するときに、画像データなどを取得しないので、広告情報を移動体通信端末が取得するための通信費用及び通信ネットワークの負荷を低減することができる。
【００３９】
次に、ゲートウェイサーバ４０におけるＲＳＳフィードへ広告情報挿入制御について説明する。
図１０は、ゲートウェイサーバ４０のＲＳＳフィードへ広告情報挿入制御のときの制御フローである。
まず、第１通信装置３０７がＷＥＢサーバ４１からインターネット通信網３０を介してデータを受信したら（Ｓ１のＹＥＳ）、受信したデータのＨＴＴＰヘッダ内のContent-Typeチェックして受信したデータがＲＳＳフィードであるか否かをチェックする（Ｓ２）。ＲＳＳフィードでない場合は（Ｓ２のＮＯ）、第２通信装置３０８から携帯電話通信網２０を介して携帯電話機１０へ受信したデータを送信する（Ｓ５）。
【００４０】
一方、受信データがＲＳＳフィードの場合（Ｓ２のＹＥＳ）、記憶手段３１３に記憶されている複数の広告情報からランダムに挿入対象の広告情報が選択される（Ｓ３）。そして、選択した広告情報を、ＲＳＳフィードに挿入する（Ｓ４）。具体的に説明すると、まず、図９に示すＲＳＳフィードのチャンネル要素内にイメージ要素を挿入して、ＲＳＳフィードにイメージ要素が存在することを記述する（図９の（Ａ）参照）。次に、ＲＳＳフィードのチャンネル要素とアイテム要素の間にイメージ要素を挿入する（図９の（Ｂ）参照）。このイメージ要素内のｕｒｌ要素には、広告情報の静止画像データの接続先情報が記述されており、このイメージ要素内のリンク要素には、広告主が指定した所定のコンテンツの接続先情報が記述されている。このように、記述することで、静止画像をアンカーとして所定のコンテンツへのリンクが張られる。なお、上記ように静止画像などをアンカーとして所定のコンテンツへのリンクを張らない広告情報の場合は、ＲＳＳフィードのアイテム要素内にenclosure要素を挿入して、このenclosure要素に広告情報たる動画データや音声データの接続先情報を記述する。
【００４１】
このようにして、広告情報が挿入されたＲＳＳフィードは、第２通信装置３０８によって、携帯電話機１０へ送信される。携帯電話機１０は、上記広告が挿入されたＲＳＳフィードを受信したら、このＲＳＳフィードを記憶手段１１２に保存する。そして、ＲＳＳリーダなど、ＲＳＳフィードを閲覧するアプリケーションを起動させて、ＲＳＳフィードを画面に表示させると、画面の所定の場所に、バナー広告などの広告情報が表示される。
【００４２】
このように、本実施形態においては、要約情報（ＲＳＳフィード）内に広告情報を挿入してから、ＲＳＳフィードを携帯電話機１０へ送信するので、コンテンツの要約情報を表示する移動体通信端末の画面に広告情報を表示させることができる。また、要約情報を取得するための取得管理制御とは別に広告情報を取得するための取得管理制御を携帯電話機が行う必要がなくなり、移動体通信端末は、ＲＳＳフィードの取得管理制御のみで済み、移動体通信端末の制御の負担を軽減することができる。また、画像データの接続先情報などの広告情報を取得するための取得要求を携帯電話機が送信する必要がなくなるので、広告情報の配信に対して、利用者への通信費の負担を低減することができる。更に、要約情報に広告情報を挿入することにより、要約情報と連携した広告情報を移動体通信端末に配信することが可能となる。
【００４３】
[変形例]
次に、変形例について説明する。この変形例においては、ＲＳＳフィードのコンテンツの内容を解析して、ＲＳＳフィードのコンテンツの内容に基づいて広告情報を挿入するようにしたものである。上述の実施形態においては、広告情報をランダムにＲＳＳフィードに挿入するため、ＲＳＳフィードのコンテンツ内容と、広告情報の内容とが、大きく異なってしまい、利用者がＲＳＳフィード閲覧時に、広告表示に興味をもたない場合がある。しかし、変形例のように、ＲＳＳフィードのコンテンツの内容を解析して、ＲＳＳフィードのコンテンツの内容に基づいた広告情報を挿入するようにすることで、ＲＳＳフィードのコンテンツの内容にあった広告情報を挿入することができる。
【００４４】
変形例のゲートウェイサーバ４０の編集手段３１２は、テキストマイニング処理を行ってＲＳＳフィードのコンテンツの内容を解析し、記憶手段３１３に記憶された種別テーブルに基づいて、要約情報を種別に分別する分別手段としての機能を有している。また、この変形例においては、記憶手段３１３に広告情報とＲＳＳフィードの種別情報とを互いに関連付けた広告情報管理テーブルが記憶されている。
【００４５】
図１１は、変形例の広告情報挿入制御の制御フローである。この変形例は、受信したデータがＲＳＳフィードの場合（Ｓ１２のＹＥＳ）、このＲＳＳフィードに対して、編集手段３１２は、テキストマイニング処理を行う（Ｓ１３）。具体的に説明すると、ＲＳＳフィードのテキストデータに対して形態素解析を行い、単語ごとに区切る。そして、所定のデータマイニング処理（単語の出現比率などの解析）を行って、テキストデータ中の重要単語を抽出する。（Ｓ１４）。次に、編集手段３１３は、抽出した重要語に基づいて、受信したＲＳＳフィードの種別を特定する（Ｓ１５）。具体的には、ゲートウェイサーバ４０の記憶手段３１３に図１２に示すような種別テーブルを記憶しておく。この種別テーブルは、複数の種別と各種別にそれぞれ対応するキーワードとが互いに関連づけられて記憶されている。編集手段３１２は、抽出した重要語と一致するキーワードを、上記種別テーブルから検索して、ＲＳＳフィードの種別を特定する。次に、編集手段３１２は、この特定されたＲＳＳフィードの種別に基づいて、ＲＳＳフィードに挿入する広告情報を決定する（Ｓ１６）。具体的には、図１３に示すように、広告主が広告情報を挿入したい種別を登録しておき、この登録種別を画像データの接続先および画像データに貼られるリンク先情報で構成された広告情報と関連付けて記憶手段３１３に記憶しておく。なお、広告情報としては、画像データの接続先、動画データの接続先、音声データの接続先のみで構成してもよいし、文字情報のみであってもよい。そして、編集手段３１２は、記憶手段３１３に記憶された広告情報のうち、特定されたＲＳＳフィードの種別に登録している広告情報を検索して、ＲＳＳフィードに挿入する広告情報を決定する。なお、図１３では、ＲＳＳフィードの種別に対してひとつの広告情報が関連づけられて記憶しているが、ＲＳＳフィードの種別に対して複数の広告情報を関連付けてもよい。この場合は、編集手段３１２は、複数の広告情報から、ランダムに挿入する広告情報を決定する。
次に、編集手段３１２は、決定した広告情報を、ＲＳＳフィードに挿入し（Ｓ１７）、広告情報が挿入されてＲＳＳフィードを携帯電話機１０へ送信する（Ｓ１８）。
【００４６】
このように変形例においては、テキストマイニング処理を行って、ＲＳＳフィードのコンテンツの内容を解析して、この解析した内容に基づいて、ＲＳＳフィードに挿入する広告情報を選択している。これにより、ＲＳＳフィードのコンテンツの内容に基づいた広告情報を挿入することができ、利用者がＲＳＳフィード閲覧時に、広告表示に興味をもたせることができる。その結果、広告主のホームページを閲覧する利用者を増加させることができる。
特に、テキストマイニング処理を行ってＲＳＳフィードのコンテンツの内容を解析することで、精度の高いＲＳＳフィードのコンテンツの内容を解析することができ、確実にＲＳＳフィードのコンテンツの内容に基づいた広告情報を挿入することができる。
また、広告情報を種別と互いに関連づけて記憶手段３１３に記憶し、ＲＳＳフィードのコンテンツの内容に基づいて、ＲＳＳフィードを種別毎に分類している。これにより、ＲＳＳフィードの種別に対応した広告情報をＲＳＳフィードへ挿入することができ、確実にＲＳＳフィードのコンテンツの内容に基づいた広告情報を挿入することができる。
【００４７】
また、テキストマイニング処理を行って抽出した重要語と、携帯電話機からＲＳＳフィードの取得要求に付加された携帯電話機の識別情報とをマーケティング情報に活用してもよい。具体的には、ゲートウェイサーバ４０は、携帯電話機１０からＲＳＳフィードの取得要求に付加された携帯電話機１０の識別情報を、図示しない利用者管理データベースへ送信する。利用者管理データベースは、携帯電話機１０の識別情報から、性別や年代を特定して、ゲートウェイサーバ４０へ送信する。ゲートウェイサーバ４０は、図示しない利用者管理データベースから性別や年代の情報を取得したら、この情報とＲＳＳフィードの種別情報とを互いに関連付けてマーケティングデータとして記憶手段３１３に記憶する。これにより、どのような利用者が、どのような種別のＲＳＳフィードを購読しているのかを把握することができる。よって、例えば、記憶手段３１３に記憶されたマーケティングデータから、１０代男性の利用率が高いＲＳＳフィードの種別を割り出すことができる。したがって、１０代男性に対して情報を配信したい広告情報は、このようにして割り出した１０代男性の利用率が高いＲＳＳフィードの種別に登録すれば、広告情報を配信したい客層に対して、広告情報を配信することができる。
【００４８】
また、携帯電話機１０の利用者が、配信して欲しい広告情報の種別を予め登録し、利用者が登録した種別の広告情報のみを要約情報（ＲＳＳフィード）に挿入するようにしてもよい。具体的に説明すると、まず、利用者は、ゲートウェイサーバ４０にアクセスして、配信して欲しい広告情報の種別を登録する。このとき、ゲートウェイサーバ４０は、携帯電話機１０から携帯電話機１０の識別情報を受信して、この識別情報を登録した種別と関連付けて記憶しておく。ゲートウェイサーバ４０が、ＷＥＢサーバ４１からＲＳＳフィードを受信したら、携帯電話機からＲＳＳフィードの取得要求に付加された携帯電話機の識別情報に基づいて、利用者が登録した種別を検索する。利用者が、例えば、「スポーツ」の種別を登録していた場合は、図１３の広告情報管理テーブルから、「スポーツ」の種別に登録されている広告情報からＲＳＳフィードに挿入する広告情報を決定する。そして、ゲートウェイサーバは、決定した広告情報をＲＳＳフィードに挿入して、携帯電話機へ送信する。これにより、利用者が所望する種別の広告情報を利用者の携帯電話機へ配信することができる。
【００４９】
また、本発明は、携帯電話機へ送られるコンテンツの要約情報を通信ネットワーク上で中継するサーバに限定することなく、他の様々な移動体通信端末に送られる要約情報を中継するサーバにも適用することができる。すなわち、本発明における要約情報を中継して送信する送信先の「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機、固定電話機等の通話機能を有する電話機が挙げられる。また、この「移動体通信端末」としては、上記電話機のほか、通話機能を有するＰＤＡ（Personal Digital Assistance）等の通信端末も挙げられる。
【図面の簡単な説明】
【００５０】
【図１】本発明の実施形態に係る通信システムの概略構成図。
【図２】ＷＥＢサーバのハードウェア構成のブロック図。
【図３】ＷＥＢサーバの機能ブロック図。
【図４】携帯電話機の外観図。
【図５】携帯電話機のハードウェア構成のブロック図。
【図６】携帯電話機の機能ブロック図。
【図７】ゲートウェイサーバのハードウェア構成のブロック図。
【図８】ゲートウェイサーバの機能ブロック図。
【図９】ＲＳＳフィードの構成例を示す図。
【図１０】ゲートウェイサーバのＲＳＳフィードへ広告情報を挿入するときの制御フロー図。
【図１１】変形例の広告情報挿入制御時の制御フロー図。
【図１２】種別テーブルを示す図。
【図１３】広告情報管理テーブルを示す図。
【符号の説明】
【００５１】
１０    携帯電話機
２０    携帯電話通信網
３０    インターネット
４０    ゲートウェイサーバ
４１    ＷＥＢサーバ
１１０    通信手段
１１１    表示手段
１１２    記憶手段
１１３    表示制御手段
３１０    第１通信手段
３１１    第２通信手段
３１２    編集手段
３１３    記憶手段
４１１    記憶手段
４１２    受信手段
４１３    送信手段
【図１】
2007299275.tif 000003
【図２】
2007299275.tif 000004
【図３】
2007299275.tif 000005
【図４】
2007299275.tif 000006
【図５】
2007299275.tif 000007
【図６】
2007299275.tif 000008
【図７】
2007299275.tif 000009
【図８】
2007299275.tif 000010
【図９】
2007299275.tif 000011
【図１０】
2007299275.tif 000012
【図１１】
2007299275.tif 000013
【図１２】
2007299275.tif 000014
【図１３】
2007299275.tif 000015